(57)【特許請求の範囲】
【請求項１】
湾曲した第１アームと、
前記第１アームとは逆に湾曲した第２アームと、
前記第１アームと前記第２アームとが互いに遠ざかる方向および近づく方向に揺動できるように、前記第１アームの一端および前記第２アームの一端を連結する第１連結部材と、
前記第１アームおよび前記第２アームに、互いに近づく方向の力を加える第１弾性部材と、
前記第１アームの他端に設けられる第３アームと、
前記第２アームの他端に設けられる第４アームと、
前記第３アームが前記第４アームに対して遠ざかる方向および近づく方向に揺動できるように、前記第１アームの他端と前記第３アームの一端とを連結する第２連結部材と、
前記第４アームに近づく方向の力を前記第３アームに加える第２弾性部材と、
前記第４アームが前記第３アームに対して遠ざかる方向および近づく方向に揺動できるように、前記第２アームの他端と前記第４アームの一端とを連結する第３連結部材と、
前記第３アームに近づく方向の力を前記第４アームに加える第３弾性部材と、
を備えることを特徴とする電柱挟持工具。
【請求項２】
前記第３アームの他端および前記第４アームの他端が電柱に押し付けられると、前記第３アームおよび前記第４アームが互いに遠ざかる方向に揺動することを特徴とする請求項１に記載の電柱挟持工具。
【請求項３】
前記第３アームの他端は、前記第４アームの他端に対して隙間を空けて配置されていることを特徴とする請求項２に記載の電柱挟持工具。
【請求項４】
前記第１連結部材から前記第１アームとは異なる方向に向かって設けられ、且つ前記第１アームと連動する第１操作部と、
前記第１連結部材から前記第２アームとは異なる方向に向かって設けられ、且つ前記第２アームと連動する第２操作部と、
を備えることを特徴とする請求項１〜３のいずれか１項に記載の電柱挟持工具。
【請求項５】
前記第１操作部に取り付けられた第３操作部と、
前記第３操作部と前記第３アームとを連結し、前記第３操作部の変位に応じて前記第３アームを揺動させる第１操作紐と、
を備えることを特徴とする請求項４に記載の電柱挟持工具。
【請求項６】
前記第２操作部に取り付けられた第４操作部と、
前記第４操作部と前記第４アームとを連結し、前記第４操作部の変位に応じて前記第４アームを揺動させる第２操作紐と、
を備えることを特徴とする請求項４または５に記載の電柱挟持工具。
【請求項７】
請求項１〜６のいずれか１項に記載の電柱挟持工具が少なくとも２つ取り付けられた、絶縁性および可撓性を有するシートであって、
前記第１アームおよび前記第３アームを収納する第１収納部と、
前記第２アームおよび前記第４アームを収納する第２収納部と、
を備えることを特徴とする防護シート。
【発明の詳細な説明】
【技術分野】
【０００１】
本発明は、電柱挟持工具および防護シートに関する。
【背景技術】
【０００２】
電柱の上で高圧電線に対して活線作業が行われるとき、電柱と電線との接触による地絡事故を防止するために、電柱の表面に絶縁性の防護シートが取り付けられる。防護シートは、可撓性を有する部材であって、電柱に巻き付けられるようにして取り付けられる。このような防護シートを電柱に取り付けるための技術としては、例えば特許文献１に示す技術が知られている。
【先行技術文献】
【特許文献】
【０００３】
【特許文献１】特開平９−１９１５１８号公報
【発明の概要】
【発明が解決しようとする課題】
【０００４】
間接活線作業を行う場合、絶縁性の棒状工具であるホットスティックが用いられる。そして、防護シートの取付作業にもホットスティックが用いられる。例えば特許文献１に示したような従来技術を用いる場合、ねじりコイルばねを備えた開閉操作部をホットスティックで挟むことで、把持部を開かせる必要がある。しかしながら、開閉操作部をホットスティックで挟んで把持部を開くという作業は容易ではないため、防護シートの取付作業が困難になる可能性があった。
【０００５】
本発明は、上記に鑑みてなされたものであって、間接活線作業を行う際の防護シートの取付作業を容易にすることができる電柱挟持工具を提供することを目的とする。
【課題を解決するための手段】
【０００６】
上述した課題を解決し、目的を達成するために、本発明に係る電柱挟持工具は、湾曲した第１アームと、前記第１アームとは逆に湾曲した第２アームと、前記第１アームと前記第２アームとが互いに遠ざかる方向および近づく方向に揺動できるように、前記第１アームの一端および前記第２アームの一端を連結する第１連結部材と、前記第１アームおよび前記第２アームに、互いに近づく方向の力を加える第１弾性部材と、前記第１アームの他端に設けられる第３アームと、前記第２アームの他端に設けられる第４アームと、前記第３アームが前記第４アームに対して遠ざかる方向および近づく方向に揺動できるように、前記第１アームの他端と前記第３アームの一端とを連結する第２連結部材と、前記第４アームに近づく方向の力を前記第３アームに加える第２弾性部材と、前記第４アームが前記第３アームに対して遠ざかる方向および近づく方向に揺動できるように、前記第２アームの他端と前記第４アームの一端とを連結する第３連結部材と、前記第３アームに近づく方向の力を前記第４アームに加える第３弾性部材と、を備えることを特徴とする。
【０００７】
電柱挟持工具は、第２連結部材および第３連結部材を備えることで、先端が開きやすくなっている。これにより、電柱挟持工具は、第３アームおよび第４アームによって容易に電柱を挟むことができる。そして、電柱挟持工具が電柱に押し込まれると、第１アームおよび第２アームが電柱からの反力により開かれ、第１弾性部材の弾性力により防護シートを挟み込む。さらに電柱挟持工具が押し込まれると、第２弾性部材および第３弾性部材の弾性力により、第３アームおよび第４アームが電柱の裏側で表面に沿うように閉じられる。このように、電柱挟持工具は、電柱からの反力を利用できるので、電柱に防護シートを取り付けるための動作を従来技術に比較して単純化できる。したがって、電柱挟持工具は、間接活線作業を行う際の防護シートの取付作業を容易にすることができる。
【０００８】
本発明の望ましい態様として、前記第３アームの他端および前記第４アームの他端が電柱に押し付けられると、前記第３アームおよび前記第４アームが互いに遠ざかる方向に揺動することが好ましい。このため、電柱挟持工具によれば、電柱に押し込むという単純な動作によって防護シートの取付が可能となる。
【０００９】
本発明の望ましい態様として、前記第３アームの他端は、前記第４アームの他端に対して隙間を空けて配置されていることが好ましい。これにより、第３アームの他端および第４アームの他端が電柱に押し付けられたとき、電柱が第３アームと第４アームとの間に入り込みやすくなる。このため、第３アームおよび第４アームがより開きやすくなる。
【００１０】
本発明の望ましい態様として、前記第１連結部材から前記第１アームとは異なる方向に向かって設けられ、且つ前記第１アームと連動する第１操作部と、前記第１連結部材から前記第２アームとは異なる方向に向かって設けられ、且つ前記第２アームと連動する第２操作部と、を備えることが好ましい。これにより、第１操作部および第２操作部の把持によって、第３アームと第４アームとの間の隙間を拡大することができる。このため、電柱挟持工具が電柱に押し付けられたときに第３アームおよび第４アームがより開きやすくなる。
【００１１】
本発明の望ましい態様として、前記第１操作部に取り付けられた第３操作部と、前記第３操作部と前記第３アームとを連結し、前記第３操作部の変位に応じて前記第３アームを揺動させる第１操作紐と、を備えることが好ましい。これにより、第１操作部が把持されることで予め第３アームと第４アームとの間の隙間が拡大される。このため、電柱挟持工具が電柱に押し込まれたときに第３アームおよび第４アームが開きやすくなる。したがって、電柱挟持工具は、防護シートの取付作業を容易にすることができる。
【００１２】
本発明の望ましい態様として、前記第２操作部に取り付けられた第４操作部と、前記第４操作部と前記第４アームとを連結し、前記第４操作部の変位に応じて前記第４アームを揺動させる第２操作紐と、を備えることが好ましい。これにより、第１操作部および第２操作部のいずれか一方が把持されれば、第３アームと第４アームとの間の隙間が拡大される。このため、第３アームと第４アームとの間の隙間を予め拡大させる作業がより容易になる。
【００１３】
本発明に係る防護シートは、電柱挟持工具が少なくとも２つ取り付けられた、絶縁性および可撓性を有するシートであって、前記第１アームおよび前記第３アームを収納する第１収納部と、前記第２アームおよび前記第４アームを収納する第２収納部と、を備えることを特徴とする。これにより、最初に防護シートを電柱に巻き付けてホットスティックで保持しておく工程が省略される。このため、防護シートは、間接活線作業を行う際の電柱の保護作業を容易にすることができる。
【発明の効果】
【００１４】
本発明によれば、間接活線作業を行う際の防護シートの取付作業を容易にすることができる電柱挟持工具を提供することができる。
【図面の簡単な説明】
【００１５】
【図１】図１は、本実施形態に係る電柱挟持工具を示す平面図である。
【図２】図２は、本実施形態に係る電柱挟持工具が電柱に取り付けられた状態を示す側面図である。
【図３】図３は、図２におけるＡ−Ａ断面図である。
【図４】図４は、本実施形態に係る電柱挟持工具に設けられた第１弾性部材を示す斜視図である。
【図５】図５は、本実施形態に係る電柱挟持工具を用いて防護シートを電柱に取り付ける方法を説明する模式図である。
【図６】図６は、本実施形態に係る電柱挟持工具を用いて防護シートを電柱に取り付ける方法を説明する模式図である。
【図７】図７は、本実施形態に係る電柱挟持工具を用いて防護シートを電柱に取り付ける方法を説明する模式図である。
【図８】図８は、変形例１に係る電柱挟持工具を示す平面図である。
【図９】図９は、変形例１に係る電柱挟持工具が電柱に取り付けられた状態を示す断面図である。
【図１０】図１０は、変形例１に係る電柱挟持工具を用いて防護シートを電柱に取り付ける方法を説明する模式図である。
【図１１】図１１は、変形例１に係る電柱挟持工具を用いて防護シートを電柱に取り付ける方法を説明する模式図である。
【図１２】図１２は、変形例２に係る防護シートが電柱に取り付けられた状態を示す側面図である。
【図１３】図１３は、図１２におけるＢ−Ｂ断面図である。
【発明を実施するための形態】
【００１６】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１７】
（実施形態）
図１は、本実施形態に係る電柱挟持工具を示す平面図である。図２は、本実施形態に係る電柱挟持工具が電柱に取り付けられた状態を示す側面図である。図３は、図２におけるＡ−Ａ断面図である。図４は、本実施形態に係る電柱挟持工具に設けられた第１弾性部材を示す斜視図である。図２に示すように、電柱挟持工具１０は、防護シート８を電柱１００に取り付けるために使用される工具である。防護シート８を電柱１００に取り付ける際、例えば、２つの電柱挟持工具１０が使用される。防護シート８は、例えばＥＶＡ（Ethylene-Vinyl  Acetate）すなわちエチレン−酢酸ビニル共重合樹脂で形成されており、絶縁性および可撓性を有する。
【００１８】
図１に示すように、本実施形態に係る電柱挟持工具１０は、第１アーム１１と、第２アーム１２と、第３アーム１３と、第４アーム１４と、第１連結部材３１と、第２連結部材３２と、第３連結部材３３と、第１弾性部材４１と、第２弾性部材４２と、第３弾性部材４３と、第１操作部５１と、第２操作部５２と、を備える。
【００１９】
図１に示すように、第１アーム１１は、湾曲した部材である。第２アーム１２は、第１アーム１１に対向するように配置されており、平面視で第１アーム１１とは逆に湾曲している。図３に示すように、第１アーム１１および第２アーム１２は、電柱１００の表面の曲率に略等しい曲率で湾曲している。第１アーム１１および第２アーム１２は、例えばプラスチック等の絶縁性材料により形成されている。また、第１アーム１１および第２アーム１２は、内部に空洞を有する中空部材である。
【００２０】
第１連結部材３１は、例えば蝶番を有する部材である。第１連結部材３１は、第１アーム１１および第２アーム１２が相対的に揺動できるように、第１アーム１１および第２アーム１２を連結している。第１連結部材３１は、第１アーム１１の一端と第２アーム１２の一端とを連結している。このため、第１アーム１１は、第２アーム１２の一端（第１連結部材３１）を中心に回転することができ、第２アーム１２は、第１アーム１１の一端（第１連結部材３１）を中心に回転することができる。以下の説明においては、第１アーム１１および第２アーム１２が互いに遠ざかるように揺動することは、第１アーム１１および第２アーム１２が開くと記載され、第１アーム１１および第２アーム１２が互いに近づくように揺動することは、第１アーム１１および第２アーム１２が閉じると記載される。
【００２１】
第１操作部５１は、第１連結部材３１から第１アーム１１とは異なる方向に向かって設けられている。具体的には、本実施形態に係る第１操作部５１は、第１アーム１１の一端に第１アーム１１と一体に形成されており、第１アーム１１に連動する。
【００２２】
第２操作部５２は、第１連結部材３１から第２アーム１２とは異なる方向に向かって設けられている。具体的には、本実施形態に係る第２操作部５２は、第２アーム１２の一端に第２アーム１２と一体に形成されており、第２アーム１２に連動する。
【００２３】
第１弾性部材４１は、第１操作部５１と第２操作部５２とに跨って配置されている。図４に示すように、第１弾性部材４１は、例えばねじりコイルばねであって、螺旋状の本体部４１３と、本体部４１３の一端から突出する第１端部４１１と、本体部４１３の他端から突出する第２端部４１２と、を備える。
【００２４】
第１端部４１１が第１操作部５１に接触しており、第２端部４１２が第２操作部５２に接触している。外力により第１操作部５１および第２操作部５２が互いに近づくと、第１端部４１１が第２端部４１２に近づく。これにより、第１弾性部材４１の本体部４１３に弾性力が生じるため、第１端部４１１および第２端部４１２が第１操作部５１および第２操作部５２を押し戻す。このため、第１弾性部材４１は、第１アーム１１および第２アーム１２に、互いに近づく方向の力を加えることができる。このため、第１操作部５１および第２操作部５２を互いに近づけた外力が取り除かれると、第１アーム１１および第２アーム１２は自動的に閉じられる。
【００２５】
第３アーム１３は、湾曲した部材であって、第１アーム１１の他端に配置されている。第３アーム１３の形状は、第１アーム１１に沿った円弧状である。第４アーム１４は、湾曲した部材であって、第２アーム１２の他端に配置されている。第４アーム１４の形状は、第２アーム１２に沿った円弧状である。図３に示すように、第３アーム１３および第４アーム１４は、電柱１００の表面の曲率に略等しい曲率で湾曲している。第３アーム１３および第４アーム１４は、例えばプラスチック等の絶縁性材料により形成されている。また、第３アーム１３および第４アーム１４は、内部に空洞を有する中空部材である。また、図１に示すように、電柱挟持工具１０が電柱１００に取り付けられる前の状態において、第３アーム１３の先端は第４アーム１４の先端に対して隙間を空けて配置されている。また、第３アーム１３の先端と第４アーム１４の先端との間の隙間は、外側に向かって大きくなっている。
【００２６】
第２連結部材３２は、例えば蝶番を有する部材である。第２連結部材３２は、第３アーム１３が第４アーム１４に対して遠ざかる方向および近づく方向に揺動できるように、第１アーム１１および第３アーム１３を連結している。第２連結部材３２は、第１アーム１１の他端と第３アーム１３の一端とを連結している。すなわち、第２連結部材３２は、第１アーム１１および第３アーム１３の間に配置された関節である。このため、第３アーム１３は、第１アーム１１の他端（第２連結部材３２）を支点として揺動することができる。
【００２７】
第３連結部材３３は、例えば蝶番を有する部材である。第３連結部材３３は、第４アーム１４が第３アーム１３に対して遠ざかる方向および近づく方向に揺動できるように、第２アーム１２および第４アーム１４を連結している。第３連結部材３３は、第２アーム１２の他端と第４アーム１４の一端とを連結している。すなわち、第３連結部材３３は、第２アーム１２および第４アーム１４の間に配置された関節である。このため、第４アーム１４は、第２アーム１２の他端（第３連結部材３３）を支点として揺動することができる。
【００２８】
第３アーム１３および第４アーム１４が互いに遠ざかるように揺動すると、第３アーム１３の先端と第４アーム１４の先端との間の隙間が大きくなる。第３アーム１３および第４アーム１４が互いに近づくように揺動すると、第３アーム１３の先端と第４アーム１４の先端との間の隙間が小さくなる。以下の説明においては、第３アーム１３および第４アーム１４が互いに遠ざかるように揺動することは、第３アーム１３および第４アーム１４が開くと記載され、第３アーム１３および第４アーム１４が互いに近づくように揺動することは、第３アーム１３および第４アーム１４が閉じると記載される。
【００２９】
第２弾性部材４２は、例えば引張コイルばねであって、第１アーム１１および第３アーム１３の内部で第１アーム１１と第３アーム１３とに跨って配置されている。第２弾性部材４２の両端は、それぞれ第１アーム１１および第３アーム１３に取り付けられている。より具体的には、第２弾性部材４２の一端は、第１アーム１１の内壁に設けられた取付部材１１１に取り付けられ、第２弾性部材４２の他端は、第３アーム１３の内壁に設けられた取付部材１３１に取り付けられている。第２弾性部材４２が第１アーム１１および第３アーム１３の内部に配置されていることで、第２弾性部材４２が破損する可能性が低減する。
【００３０】
第３弾性部材４３は、例えば引張コイルばねであって、第２アーム１２および第４アーム１４の内部で第２アーム１２と第４アーム１４とに跨って配置されている。第３弾性部材４３の両端は、それぞれ第２アーム１２および第４アーム１４に取り付けられている。より具体的には、第３弾性部材４３の一端は、第２アーム１２の内壁に設けられた取付部材１２１に取り付けられ、第３弾性部材４３の他端は、第４アーム１４の内壁に設けられた取付部材１４１に取り付けられている。第３弾性部材４３が第２アーム１２および第４アーム１４の内部に配置されていることで、第３弾性部材４３が破損する可能性が低減する。
【００３１】
第２弾性部材４２および第３弾性部材４３のばね定数は、第３アーム１３および第４アーム１４に対して外力が加えられたときに、第１弾性部材４１が変形する前に第２弾性部材４２および第３弾性部材４３が変形する大きさに設定されている。このため、第３アーム１３および第４アーム１４に対して互いに遠ざかる方向の外力が加えられると、第１アーム１１および第２アーム１２が開く前に第３アーム１３および第４アーム１４が開く。
【００３２】
なお、第２弾性部材４２は、第１アーム１１と第３アーム１３とに跨って配置されるねじりコイルばねであってもよいし、第３弾性部材４３は、第２アーム１２と第４アーム１４とに跨って配置されるねじりコイルばねであってもよい。また、第１弾性部材４１は、第１操作部５１と第２操作部５２とに跨って配置される圧縮コイルばねであってもよいし、第１アーム１１と第２アーム１２とに跨って配置される引張コイルばねであってもよい。例えば、第１弾性部材４１、第２弾性部材４２および第３弾性部材４３がねじりコイルばねである場合、第２弾性部材４２および第３弾性部材４３のばね定数は、第１弾性部材４１のばね定数よりも小さく設定される。また、第１弾性部材４１、第２弾性部材４２および第３弾性部材４３は、コイルばねでなくてもよく、例えば合成ゴム等のその他の弾性体であってもよい。
【００３３】
図５〜図７は、本実施形態に係る電柱挟持工具を用いて防護シートを電柱に取り付ける方法を説明する模式図である。図５は、防護シート８を電柱１００に取り付ける際の最初の工程を示している。図６は、第３アーム１３および第４アーム１４が開いた状態を示している。図７は、第１アーム１１および第２アーム１２が開き始めた状態を示している。
【００３４】
電柱挟持工具１０を用いて防護シート８を電柱１００に取り付ける際、最初に、可撓性を有する防護シート８が電柱１００に巻き付けられる。そして、防護シート８が電柱１００に巻き付けられた状態が、図５に示すようにホットスティック９２で保持される。その後、ホットスティック９２とは別のホットスティック９１により例えば第１操作部５１が把持された状態で、第３アーム１３および第４アーム１４の先端が防護シート８に接触させられる。
【００３５】
次に、電柱挟持工具１０は、電柱１００に向かって押し込まれる。すなわち、電柱挟持工具１０に対して、電柱１００の径方向の力がホットスティック９１を介して加えられる。電柱挟持工具１０が押し込まれると、第３アーム１３および第４アーム１４に電柱１００から反力が加わる。電柱１００の表面が凸曲面であり且つ第３アーム１３の先端と第４アーム１４の先端との間に隙間があることにより、電柱１００からの反力は、図５に示すように第３アーム１３および第４アーム１４を開かせる方向に作用する。このため、電柱挟持工具１０が電柱１００に向かって押し込まれていくと、図６に示すように第３アーム１３および第４アーム１４が電柱１００の表面に沿って開いていく。また、第３アーム１３および第４アーム１４が開くに従って、第２弾性部材４２および第３弾性部材４３は引っ張られる。このため、第３アーム１３には第４アーム１４に近づく方向の力が第２弾性部材４２から加わり、第４アーム１４には第３アーム１３に近づく方向の力が第３弾性部材４３から加えられている。
【００３６】
さらに電柱挟持工具１０が押し込まれると、図７に示すように第１アーム１１および第２アーム１２が防護シート８に接触する。これにより、第１アーム１１および第２アーム１２に電柱１００から反力が加わる。電柱１００からの反力は、図７に示すように第１アーム１１および第２アーム１２を開かせる方向に作用する。このため、電柱挟持工具１０が電柱１００に向かって押し込まれていくと、第１アーム１１および第２アーム１２が電柱１００の表面に沿って開いていく。
【００３７】
第３アーム１３および第４アーム１４が電柱１００の裏側に向かうに従って、第３アーム１３および第４アーム１４に加わる電柱１００から反力が小さくなる。なお、電柱１００の裏側は、第３アーム１３および第４アーム１４が最初に接した位置に対して電柱１００の径方向で反対側を意味している。一方、第３アーム１３および第４アーム１４には、第２弾性部材４２および第３弾性部材４３の弾性力が復元力として作用している。これにより、第３アーム１３および第４アーム１４が図３に示すように電柱１００の表面に沿うように閉じられる。このため、第３アーム１３および第４アーム１４は、防護シート８のうち電柱１００の裏側に位置する部分を押さえることができる。図３で示すように、電柱挟持工具１０は、電柱１００の表面に沿った第１アーム１１、第２アーム１２、第３アーム１３および第４アーム１４によって防護シート８を電柱１００に保持できる。
【００３８】
なお、電柱挟持工具１０は、必ずしも第１操作部５１および第２操作部５２を備えていなくてもよい。このような場合、例えば第１アーム１１または第２アーム１２がホットスティック９１で把持されればよい。
【００３９】
以上述べたように、本実施形態に係る電柱挟持工具１０は、第１アーム１１と、第２アーム１２と、第１連結部材３１と、第１弾性部材４１と、第３アーム１３と、第４アーム１４と、第２連結部材３２と、第２弾性部材４２と、第３連結部材３３と、第３弾性部材４３と、を備える。第１アーム１１は、湾曲した部材である。第２アーム１２は、第１アーム１１とは逆に湾曲した部材である。第１連結部材３１は、第１アーム１１と第２アーム１２とが互いに遠ざかる方向および近づく方向に揺動できるように、第１アーム１１の一端および第２アーム１２の一端を連結する。第１弾性部材４１は、第１アーム１１および第２アーム１２に、互いに近づく方向の力を加える。第３アーム１３は、第１アーム１１の他端に設けられる湾曲した部材である。第４アーム１４は、第２アーム１２の他端に設けられる湾曲した部材である。第２連結部材３２は、第３アーム１３が第４アーム１４に対して遠ざかる方向および近づく方向に揺動できるように、第１アーム１１の他端と第３アーム１３の一端とを連結する。第２弾性部材４２は、第４アーム１４に近づく方向の力を第３アーム１３に加える。第３連結部材３３は、第４アーム１４が第３アーム１３に対して遠ざかる方向および近づく方向に揺動できるように、第２アーム１２の他端と第４アーム１４の一端とを連結する。第３弾性部材４３は、第３アーム１３に近づく方向の力を第４アーム１４に加える。
【００４０】
電柱挟持工具１０は、第２連結部材３２および第３連結部材３３を備えることで、先端が開きやすくなっている。これにより、電柱挟持工具１０は、第３アーム１３および第４アーム１４によって容易に電柱１００を挟むことができる。そして、電柱挟持工具１０が電柱１００に押し込まれると、第１アーム１１および第２アーム１２が電柱１００からの反力により開かれ、第１弾性部材４１の弾性力により防護シート８を挟み込む。さらに電柱挟持工具１０が押し込まれると、第２弾性部材４２および第３弾性部材４３の弾性力により、第３アーム１３および第４アーム１４が電柱１００の裏側で表面に沿うように閉じられる。このように、電柱挟持工具１０は、電柱１００からの反力を利用できるので、電柱１００に防護シート８を取り付けるための動作を従来技術に比較して単純化できる。したがって、電柱挟持工具１０は、間接活線作業を行う際の防護シート８の取付作業を容易にすることができる。
【００４１】
また、本実施形態に係る電柱挟持工具１０において、第３アーム１３の他端および第４アーム１４の他端が電柱１００に押し付けられると、第３アーム１３および第４アーム１４が互いに遠ざかる方向に揺動する。このため、電柱挟持工具１０によれば、電柱１００に押し込むという単純な動作によって防護シート８の取付が可能となる。
【００４２】
また、本実施形態に係る電柱挟持工具１０において、第３アーム１３の他端は、第４アーム１４の他端に対して隙間を空けて配置されている。これにより、第３アーム１３の他端および第４アーム１４の他端が電柱１００に押し付けられたとき、電柱１００が第３アーム１３と第４アーム１４との間に入り込みやすくなる。このため、第３アーム１３および第４アーム１４がより開きやすくなる。
【００４３】
また、本実施形態に係る電柱挟持工具１０は、第１操作部５１と、第２操作部５２と、を備える。第１操作部５１は、第１連結部材３１から第１アーム１１とは異なる方向に向かって設けられ、且つ第１アーム１１と連動する。第２操作部５２は、第１連結部材３１から第２アーム１２とは異なる方向に向かって設けられ、且つ第２アーム１２と連動する。これにより、第１操作部５１および第２操作部５２の把持によって、第３アーム１３と第４アーム１４との間の隙間を拡大することができる。このため、電柱挟持工具１０が電柱１００に押し付けられたときに第３アーム１３および第４アーム１４がより開きやすくなる。
【００４４】
（変形例１）
図８は、変形例１に係る電柱挟持工具を示す平面図である。図９は、変形例１に係る電柱挟持工具が電柱に取り付けられた状態を示す断面図である。なお、上述した実施形態で説明したものと同じ構成要素には同一の符号を付して重複する説明は省略する。
【００４５】
図８に示すように、変形例１に係る電柱挟持工具１０Ａは、第３操作部５３と、第１操作紐６１と、第４操作部５４と、第２操作紐６２と、を備える。
【００４６】
第３操作部５３は、例えば第１操作部５１に設けられた板バネである。第３操作部５３の一端は第１操作部５１に固定されており、他端は第１操作部５１に隙間を空けて配置されている。このため、第３操作部５３の他端は、第１操作部５１に対して遠ざかる方向および近づく方向に揺動できる。
【００４７】
第１操作紐６１は、例えばワイヤ等の紐状部材である。第１操作紐６１は、第３アーム１３および第３操作部５３を連結している。より具体的には、第３アーム１３の外側表面に設けられた環状の取付部１３２に第１操作紐６１の一端が固定され、第３操作部５３に設けられた環状の取付部５３１に第１操作紐６１の他端が固定されている。図８に示すように、電柱挟持工具１０Ａが電柱１００に取り付けられる前の状態で、第１操作紐６１はピンと張られている。すなわち、第１操作紐６１には張力が生じている。
【００４８】
第４操作部５４は、例えば第２操作部５２に設けられた板バネである。第４操作部５４の一端は第２操作部５２に固定されており、他端は第２操作部５２に隙間を空けて配置されている。このため、第４操作部５４の他端は、第２操作部５２に対して遠ざかる方向および近づく方向に揺動できる。
【００４９】
第２操作紐６２は、例えばワイヤ等の紐状部材である。第２操作紐６２は、第４アーム１４および第４操作部５４を連結している。より具体的には、第４アーム１４の外側表面に設けられた環状の取付部１４２に第２操作紐６２の一端が固定され、第４操作部５４に設けられた環状の取付部５４１に第２操作紐６２の他端が固定されている。図８に示すように、電柱挟持工具１０Ａが電柱１００に取り付けられる前の状態で、第２操作紐６２はピンと張られている。すなわち、第２操作紐６２には張力が生じている。
【００５０】
なお、第３操作部５３および第４操作部５４は、必ずしも板バネでなくてもよい。例えば、第３操作部５３および第４操作部５４は、蝶番およびねじりコイルばねの組み合わせによって揺動する部材であってもよい。
【００５１】
なお、第１操作紐６１および第２操作紐６２は、必ずしもワイヤでなくてもよく、例えばポリエステル等の化学繊維で形成されていてもよいし、麻等の天然繊維で形成されていてもよい。また、第１操作紐６１および第２操作紐６２は、必ずしもピンと張られていなくてもよく、弛んでいてもよい。
【００５２】
図１０および図１１は、変形例１に係る電柱挟持工具を用いて防護シートを電柱に取り付ける方法を説明する模式図である。図１０は、第１操作部５１および第３操作部５３が把持された状態を示している。図１１は、第１アーム１１および第２アーム１２が開き始めた状態を示している。
【００５３】
図１０に示すように、ホットスティック９１で第１操作部５１および第３操作部５３が把持されると、第３操作部５３が第１操作部５１に近づく方向に撓む。このため、第１操作紐６１を介して第３アーム１３が外側に引っ張られるので、第３アーム１３が第４アーム１４から遠ざかる。すなわち、第３アーム１３と第４アーム１４との間の隙間が大きくなる。
【００５４】
次に、ホットスティック９１で第１操作部５１および第３操作部５３が把持された状態のまま、電柱挟持工具１０Ａが電柱１００に押し込まれる。第３アーム１３と第４アーム１４との間の隙間が大きくなっているので、第３アーム１３および第４アーム１４が開きやすい。このため、電柱挟持工具１０Ａを押し込むために必要な力は、上述した実施形態に比較して小さくなる。
【００５５】
さらに電柱挟持工具１０Ａが押し込まれると、図１１に示すように第１アーム１１および第２アーム１２が防護シート８に接触する。このため、第１アーム１１および第２アーム１２が電柱１００の表面に沿って開いていく。最終的には、図９で示すように、電柱挟持工具１０Ａは、電柱１００の表面に沿った第１アーム１１、第２アーム１２、第３アーム１３および第４アーム１４によって防護シート８を電柱１００に保持する。
【００５６】
なお、第１操作部５１および第３操作部５３に代えて、第２操作部５２および第４操作部５４が把持されてもよい。このようにした場合、第２操作紐６２を介して第４アーム１４が外側に引っ張られるので、第４アーム１４が第３アーム１３から遠ざかる。また、第３操作部５３および第４操作部５４のいずれか一方はなくてもよい。
【００５７】
以上述べたように、電柱挟持工具１０Ａは、第３操作部５３と、第１操作紐６１と、を備える。第３操作部５３は、第１操作部５１に取り付けられている。第１操作紐６１は、第３操作部５３と第３アーム１３とを連結し、第３操作部５３の変位に応じて第３アーム１３を揺動させる。これにより、第１操作部５１が把持されることで予め第３アーム１３と第４アーム１４との間の隙間が拡大される。このため、電柱挟持工具１０Ａが電柱１００に押し込まれたときに第３アーム１３および第４アーム１４が開きやすくなる。したがって、電柱挟持工具１０Ａは、防護シート８の取付作業を容易にすることができる。
【００５８】
さらに、電柱挟持工具１０Ａは、第４操作部５４と、第２操作紐６２と、を備える。第４操作部５４は、第２操作部５２に取り付けられている。第２操作紐６２は、第４操作部５４と第４アーム１４とを連結し、第４操作部５４の変位に応じて第４アーム１４を揺動させる。これにより、第１操作部５１および第２操作部５２のいずれか一方が把持されれば、第３アーム１３と第４アーム１４との間の隙間が拡大される。このため、第３アーム１３と第４アーム１４との間の隙間を予め拡大させる作業がより容易になる。
【００５９】
（変形例２）
図１２は、変形例２に係る防護シートが電柱に取り付けられた状態を示す側面図である。図１３は、図１２におけるＢ−Ｂ断面図である。なお、上述した実施形態で説明したものと同じ構成要素には同一の符号を付して重複する説明は省略する。
【００６０】
図１３に示すように、変形例２に係る防護シート８Ａは、絶縁性および可撓性を有するシートであって、第１収納部８１と、第２収納部８２と、を備える。第１収納部８１は、例えば電柱挟持工具１０の第１アーム１１および第３アーム１３を収納できる袋状の部材である。第２収納部８２は、例えば電柱挟持工具１０の第２アーム１２および第４アーム１４を収納できる袋状の部材である。第１収納部８１および第２収納部８２は、隣接して設けられている。防護シート８Ａは、隣接する第１収納部８１および第２収納部８２の組を例えば２組備える。２組の第１収納部８１および第２収納部８２は、例えば防護シート８Ａが電柱１００に巻き付けられたときにそれぞれ電柱１００の軸方向両端に位置するように配置されている。
【００６１】
防護シート８Ａには、２つの電柱挟持工具１０が取り付けられている。電柱挟持工具１０の第１アーム１１および第３アーム１３が第１収納部８１に挿入されており、第２アーム１２および第４アーム１４が第２収納部８２に挿入されている。これにより、防護シート８Ａは、電柱１００に巻き付けられる前の状態で、第１アーム１１、第２アーム１２、第３アーム１３および第４アーム１４に沿った湾曲した形状になっている。防護シート８Ａは、電柱挟持工具１０の動作に追従して変形できる。すなわち、第１アーム１１および第２アーム１２が開くとき、第１アーム１１および第２アーム１２に追従して防護シート８Ａも開く。第３アーム１３および第４アーム１４が開くとき、第３アーム１３および第４アーム１４に追従して防護シート８Ａも開く。
【００６２】
防護シート８Ａを電柱１００に取り付ける際、防護シート８Ａは、第３アーム１３および第４アーム１４の先端側から電柱１００に押し込まれる。そして、上述した実施形態と同様に第１アーム１１、第２アーム１２、第３アーム１３および第４アーム１４が電柱１００に沿うように開閉する。第１アーム１１、第２アーム１２、第３アーム１３および第４アーム１４に追従して防護シート８Ａが開閉するので、図１３に示すように防護シート８Ａが電柱１００に保持される。このため、防護シート８Ａによれば、上述した実施形態に比較して、最初に防護シートを電柱１００に巻き付けてホットスティックで保持しておく工程が省略される。
【００６３】
また、図１２に示すように、防護シート８Ａが電柱１００に取り付けられた状態で電柱挟持工具１０が電柱１００の軸方向に動かされると、電柱挟持工具１０に追従して防護シート８Ａが伸縮する。具体的には、防護シート８Ａは、２つの電柱挟持工具１０に挟まれる部分を弛ませながら伸縮する。このため、防護シート８Ａによれば、電柱１００を覆う面積の調整が容易となる。
【００６４】
なお、防護シート８Ａに取り付けられる電柱挟持工具１０は３つ以上であってもよい。また、変形例１で示した電柱挟持工具１０Ａが防護シート８Ａに取り付けられていてもよい。
【００６５】
以上説明したように、防護シート８Ａは、電柱挟持工具１０（または電柱挟持工具１０Ａ）が少なくとも２つ取り付けられた、絶縁性および可撓性を有するシートである。防護シート８Ａは、第１アーム１１および第３アーム１３を収納する第１収納部８１と、第２アーム１２および第４アーム１４を収納する第２収納部８２と、を備える。これにより、上述した実施形態に比較して最初に防護シートを電柱１００に巻き付けてホットスティックで保持しておく工程が省略される。このため、防護シート８Ａは、間接活線作業を行う際の電柱１００の保護作業を容易にすることができる。
【符号の説明】
【００６６】
１０、１０Ａ  電柱挟持工具
１１  第１アーム
１２  第２アーム
１３  第３アーム
１４  第４アーム
１００  電柱
３１  第１連結部材
３２  第２連結部材
３３  第３連結部材
４１  第１弾性部材
４２  第２弾性部材
４３  第３弾性部材
５１  第１操作部
５２  第２操作部
５３  第３操作部
５４  第４操作部
６１  第１操作紐
６２  第２操作紐
８、８Ａ  防護シート
９１、９２  ホットスティック
【図１】
0006451430.tif 000002
【図２】
0006451430.tif 000003
【図３】
0006451430.tif 000004
【図４】
0006451430.tif 000005
【図５】
0006451430.tif 000006
【図６】
0006451430.tif 000007
【図７】
0006451430.tif 000008
【図８】
0006451430.tif 000009
【図９】
0006451430.tif 000010
【図１０】
0006451430.tif 000011
【図１１】
0006451430.tif 000012
【図１２】
0006451430.tif 000013
【図１３】
0006451430.tif 000014